(57)【要約】【課題】フィルタの位置検知手段の配置の自由度を拡大し、位置検知手段の占有空間の大型化を抑制することができる空気調和装置の室内機を提供する。【解決手段】室内機２は、室内から吸込んだ空気をフィルタで清浄し熱交換器で熱交換させて再び室内に戻す空気調和装置の室内機であって、複数のフィルタ１２１，２２１と、複数の位置検知手段１５０，２５０とを備えている。複数のフィルタ１２１，２２１は、所定の軌道上を移動する。複数の位置検知手段１５０，２５０は、移動する複数のフィルタ１２１，２２１それぞれの位置を検知する。また、複数の位置検知手段１５０，２５０それぞれは、回動部材１５３，２５３と、スイッチ１５１，２５１とを有している。回動部材１５３，２５３は、フィルタ１２１，２２１に押されて回動する。スイッチ１５１，２５１は、回動部材１５３，２５３に押されて動作する。そして、複数の回動部材１５３，２５３は、共通の回動軸５４を中心に回動する。【選択図】図４
2008145081.tif 000002
【特許請求の範囲】
【請求項１】
室内から吸込んだ空気をフィルタで清浄し熱交換器で熱交換させて再び室内に戻す空気調和装置の室内機であって、
所定の軌道上を移動する複数のフィルタ（１２１，２２１）と、
移動する複数の前記フィルタ（１２１，２２１）それぞれの位置を検知する複数の位置検知手段（１５０，２５０）と、
を備え、
複数の前記位置検知手段（１５０，２５０）それぞれは、前記フィルタ（１２１，２２１）に押されて回動する回動部材（１５３，２５３）と、前記回動部材（１５３，２５３）に押されて動作するスイッチ（１５１，２５１）とを有し、
複数の前記回動部材（１５３，２５３）が、共通の回動軸（５４）を中心に回動する、
空気調和装置（１）の室内機（２）。
【請求項２】
前記回動部材（１５３，２５３）は、
回動の中心となる軸穴（１５３ａ，２５３ａ）と、
前記フィルタ（１２１，２２１）に接触する受動部（１５３ｂ，２５３ｂ）と、
前記受動部（１５３ｂ，２５３ｂ）の変位を前記スイッチ（１５１，２５１）に伝達する動作部（１５３ｃ、２５３ｃ）と、
を有し、
複数の前記回動部材（１５３，２５３）が、前記軸穴（１５３ａ，２５３ａ）を介して前記回動軸（５４）に挿入されている、
請求項１に記載の空気調和装置（１）の室内機（２）。
【請求項３】
前記回動軸（５４）が、前記フィルタ（１２１，２２１）同士の間に設けられ、
複数の前記回動部材（１５３，２５３）が、前記回動軸（５４）に重ねて挿入される、
請求項１に記載の空気調和装置（１）の室内機（２）。
【請求項４】
前記回動軸（５４）に重ねて挿入された複数の前記回動部材（１５３，２５３）のうちで、少なくとも最上段の前記回動部材（１５３）には、前記回動軸（５４）方向の移動を防止する係止部（１５３ｄ）が形成されている、
請求項３に記載の空気調和装置（１）の室内機（２）。
【請求項５】
前記係止部（１５３ｄ）は、前記係止部（１５３ｄ）を有する前記回動部材（１５３）に押されて動作する前記スイッチ（１５１）に接触して係止している、
請求項４に記載の空気調和装置（１）の室内機（２）。
【請求項６】
前記スイッチ（１５１，２５１）は、前記回動部材（１５３，２５３）に押されて蝶番式に動作するレバー（１５２，２５２）を有し、
前記係止部（１５３ｄ）は、前記係止部（１５３ｄ）を有した前記回動部材（１５３）に押されて動作する前記スイッチ（１５１）の前記レバー（１５２）に接触して係止している、
請求項５に記載の空気調和装置（１）の室内機（２）。
【請求項７】
室内から吸込んだ空気をフィルタで清浄し熱交換器で熱交換させて再び室内に戻す空気調和装置の室内機であって、
所定の軌道上を移動するフィルタ（１２１）と、
移動する前記フィルタ（１２１）の位置を検知する位置検知手段（１５０）と、
を備え、
前記位置検知手段（１５０）は、前記フィルタ（１２１）に押されて回動する回動部材（１５３）と、前記回動部材（１５３）に押されて動作するスイッチ（１５１）と、前記回動部材（１５３）の回動の中心軸となる回動軸（５４）とを有し、
前記回動部材（１５３）には、前記スイッチ（１５１）の所定部位と常時接触して前記回動部材（１５３）が前記回動軸（５４）方向に移動することを防止する係止部（１５３ｄ）が設けられている、
空気調和装置（１）の室内機（２）。
【請求項８】
前記スイッチ（１５１）は、前記回動部材（１５３）に押されて蝶番式に動作するレバー（１５２）を有し、
前記係止部（１５３ｄ）は、前記スイッチ（１５１）のレバー（１５２）に接触して係止している、
請求項７に記載の空気調和装置（１）の室内機（２）。
【発明の詳細な説明】
【技術分野】
【０００１】
本発明は、空気調和装置の室内機に関し、特にフィルタに付着した塵埃を自動的に除去する機能を備えた空気調和装置の室内機に関する。
【背景技術】
【０００２】
近年、空気調和装置の室内機として、フィルタとブラシとを接触させた状態で相対移動させ、そのフィルタに付着した塵埃を除去するタイプの室内機が普及している（例えば、特許文献１参照）。特許文献１に記載のものは、フィルタにブラシを所定の圧力で接触させ、そのフィルタをモータによって往復移動させている。モータが回転すると、モータに直結された駆動ギアと、駆動ギアに噛み合った出力ギアが回転する。出力ギアはフィルタに形成されたラックと噛み合っており、出力ギアの回転によってフィルタが移動する。
【０００３】
フィルタの位置は、リミットスイッチによって検知される。リミットスイッチの操作ボタンは、フィルタの移動方向と平行な端面と常時接触しており、その端面の所定の位置にはリミットスイッチの操作ボタンを動作させる窪みが設けられている。リミットスイッチの操作ボタンがその窪みに嵌ったときに、リミットスイッチの信号が切り替わるのでフィルタが所定位置に到達したと認識される。
【特許文献１】特開２００６−１９４５６２号公報
【発明の開示】
【発明が解決しようとする課題】
【０００４】
しかしながら、特許文献１に記載のものは、リミットスイッチの操作ボタンが動作方向と垂直な方向からフィルタで直接押される構成であるので、リミットスイッチの配置場所が限定され、余計な空間が必要となる。
【０００５】
そこで、本発明の課題は、フィルタの位置検知手段の配置の自由度を拡大し、位置検知手段の占有空間の大型化を抑制することができる空気調和装置の室内機を提供することにある。
【課題を解決するための手段】
【０００６】
第１発明に係る空気調和装置の室内機は、室内から吸込んだ空気をフィルタで清浄し熱交換器で熱交換させて再び室内に戻す空気調和装置の室内機であって、複数のフィルタと、複数の位置検知手段とを備えている。複数のフィルタは、所定の軌道上を移動する。複数の位置検知手段は、移動する複数のフィルタそれぞれの位置を検知する。また、複数の位置検知手段それぞれは、回動部材とスイッチとを有している。回動部材は、フィルタに押されて回動する。スイッチは、回動部材に押されて動作する。そして、複数の回動部材は、共通の回動軸を中心に回動する。
【０００７】
この室内機では、回動部材が同一回動軸上に集積されるので、回動部材による占有空間が縮小され、回動部材周辺の部材の小型化が図られる。このため、材料使用量が減少し材料費が低減する。
【０００８】
第２発明に係る空気調和装置の室内機は、第１発明に係る空気調和装置の室内機であって、回動部材が、回動の中心となる軸穴と、フィルタに接触する受動部と、受動部の変位をスイッチに伝達する動作部とを有している。複数の回動部材それぞれが、それぞれの軸穴を介して回動軸に挿入されている。
【０００９】
この室内機では、複数の回動部材を一括して同時に回動軸に挿入することが可能となり、挿入作業が単純化されるので、作業性が向上し製造コストが低減する。
【００１０】
第３発明に係る空気調和装置の室内機は、第１発明に係る空気調和装置の室内機であって、回動軸が、フィルタ同士の間に設けられ、複数の回動部材が、回動軸に重ねて挿入される。
【００１１】
この室内機では、フィルタ間の空間が利用されるので、水平方向寸法の大型化が抑制される。また、複数の回動部材を重ねることで回動部材による占有空間の大型化が抑制される。
【００１２】
第４発明に係る空気調和装置の室内機は、第３発明に係る空気調和装置の室内機であって、回動軸に重ねて挿入された複数の回動部材のうちで、少なくとも最上段の回動部材には、回動軸方向の移動を防止する係止部が形成されている。
【００１３】
この室内機では、搬送及び組立の際に、最上段の回動部材が回動軸から脱落しないので、下段の回動部材も回動軸から脱落せず、作業上の取扱いが容易になり作業性が向上する。
【００１４】
第５発明に係る空気調和装置の室内機は、第４発明に係る空気調和装置の室内機であって、係止部は、係止部を有した回動部材に押されて動作するスイッチに接触して係止している。
【００１５】
この室内機では、既存の部材が係止部の相手側として利用されるので、省部品、省スペースとなる。
【００１６】
第６発明に係る空気調和装置の室内機は、第５発明に係る空気調和装置の室内機であって、スイッチは、回動部材に押されて蝶番式に動作するレバーを有している。係止部は、係止部を有した回動部材に押されて動作するスイッチのレバーに接触して係止している。
【００１７】
この室内機では、係止部とレバーとは同時に且つ一緒に動くことができるので、係止部のサイズは回動部材の動作範囲と関係なく、レバーに合わせて小型化することができる。
【００１８】
第７発明に係る空気調和装置の室内機は、室内から吸込んだ空気をフィルタで清浄し熱交換器で熱交換させて再び室内に戻す空気調和装置の室内機であって、フィルタと、位置検知手段とを備えている。フィルタは、所定の軌道上を移動する。位置検知手段は、移動するフィルタの位置を検知する。また、位置検知手段は、回動部材と、スイッチと、回動軸とを有している。回動部材は、フィルタに押されて回動する。スイッチは、回動部材に押されて動作する。回動軸は、回動部材の回動の中心軸となる。そして、回動部材には、係止部が設けられている。係止部は、スイッチの所定部位と常時接触して回動部材が回動軸方向に移動することを防止する。
【００１９】
この室内機では、搬送及び組立の際に回動部材が回動軸から脱落しないので、作業上の取り扱いが容易となり作業性が向上する。
【００２０】
第８発明に係る空気調和装置の室内機は、第７発明に係る空気調和装置の室内機であって、スイッチが、回動部材に押されて蝶番式に動作するレバーを有している。係止部は、スイッチのレバーに接触して係止している。
【００２１】
この室内機では、係止部とレバーとは同時に且つ一緒に動くことができるので、係止部のサイズは回動部材の動作範囲と関係なく小型化することができる。
【発明の効果】
【００２２】
第１発明に係る空気調和装置の室内機では、回動部材が同一回動軸上に集積されるので、回動部材による占有空間が縮小され、回動部材周辺の部材の小型化が図られる。このため、材料使用量が減少し材料費が低減する。
【００２３】
第２発明に係る空気調和装置の室内機では、複数の回動部材を一括して同時に回動軸に挿入することが可能となり、挿入作業が単純化されるので、作業性が向上し製造コストが低減する。
【００２４】
第３発明に係る空気調和装置の室内機では、フィルタ間の空間が利用されるので、水平方向寸法の大型化が抑制される。また、回動部材を重ねることで回動部材による占有空間の大型化が抑制される。
【００２５】
第４発明に係る空気調和装置の室内機では、搬送及び組立の際に、最上段の回動部材が回動軸から脱落しないので、下段の回動部材も回動軸から脱落せず、作業上の取扱いが容易になり作業性が向上する。
【００２６】
第５発明に係る空気調和装置の室内機では、既存の部材が係止部の相手側として利用されるので、省部品、省スペースとなる。
【００２７】
第６発明に係る空気調和装置の室内機では、係止部とレバーとは同時に且つ一緒に動くことができるので、係止部のサイズは回動部材の動作範囲と関係なく、レバーに合わせて小型化することができる。
【００２８】
第７発明に係る空気調和装置の室内機では、搬送及び組立の際に回動部材が回動軸から脱落しないので、作業上の取り扱いが容易となり作業性が向上する。
【００２９】
第８発明に係る空気調和装置の室内機では、係止部とレバーとは同時に且つ一緒に動くことができるので、係止部のサイズは回動部材の動作範囲と関係なく小型化することができる。
【発明を実施するための最良の形態】
【００３０】
＜空気調和機の概略構成＞
以下図面を参照しながら、本発明の実施形態について説明する。なお、以下の実施形態は、本発明の具体例であって、本発明の技術的範囲を限定するものではない。
【００３１】
図１は、空気調和装置の外観図である。図１において、空気調和装置１は、室内に設置される室内機２と、室外に設置される室外機３とを有しており、室内の冷房および暖房を行うことができる。
【００３２】
室外機３は、室外空調ユニット５と、室外空調ユニット５上に配置される調湿ユニット４とを有している。調湿ユニット４は、室外の空気を室内へ供給し、或いは室内の空気を室外へ排出することができ、室外機３と室内機２との間には、調湿ユニット４からの室外空気や調湿空気等を室内機２側に供給するときに、或いは室内の空気を室外に排出するときに用いられる給排気ホース６が設けられている。
【００３３】
＜室内機＞
図２は、本発明の一実施形態に係る空気調和装置の室内機の断面図である。室内機２は、室内の壁面に取り付けられる壁掛け型の室内機であり、図２に示すように、ケーシング１０と、フレーム１１、室内熱交換器１２、ファン１３、フィルタ２１及びダストボックス６０等を有している。
【００３４】
ケーシング１０は、グリル１０ａと前面パネル１０ｂと背面板１０ｃとを含む。グリル１０ａはフィルタ２１を覆うように配置されている。また、前面パネル１０ｂは、グリル１０ａの前面を覆うように取付けられている。グリル１０ａには、室内機２の運転状況を表示する表示部７７（図１参照）が設けられている。表示部７７は、室内機２の前方から認知できるように設けられている。表示部７７は、複数のＬＥＤからなり、点灯の有無で室内機２の運転状況を表示する。
【００３５】
室内機２の内部には、フレーム１１、室内熱交換器１２、ファン１３、及びフィルタ２１が配置されている。室内熱交換器１２及びファン１３は、フレーム１１に取り付けられている。室内熱交換器１２は、通過する空気との間で熱交換を行う。ファン１３は、室内から取り込んだ空気を、室内熱交換器１２に当てて通過させた後、室内に吹き出す。
【００３６】
フレーム１１の前面下部には、吹出し口１５が設けられており、吹出し口１５から吹き出される空気を案内する水平フラップ１７が、吹出し口１５に設けられている。水平フラップ１７は、空気の案内方向を変更したり、吹出し口１５を開閉したりすることができる。
【００３７】
グリル１０ａと室内熱交換器１２との間にはフィルタ２１が配置されており、室内熱交換器１２に向って流入してくる空気に含まれる塵埃を除去している。本実施形態では、塵埃が付着したフィルタ２１を自動清掃するために、フィルタ２１を移動させるローラー３１と、フィルタ２１及びローラー３１を支持するガイド部材４１とをさらに備えている。以下、フィルタ清掃機能に関連する部材について図面を用いて説明する。
【００３８】
＜フィルタ清掃機能の関連部材＞
（フィルタ２１）
図３は、フィルタ及びその周辺部品の分解斜視図である。図３において、フィルタ２１は、空気中の塵埃を除去するフィルタ部２２と、フィルタ部２２の上下端、左右端及び中央部を支える支持枠２３とを有する。本実施形態では、支持枠２３は、エラストマで成形されており、外力によって容易に変形させられるが、外力が無くなると容易に復元される。なお、支持枠２３の材質はエラストマに限定されるものではなく、ゴム、樹脂などの高分子材料から選定される。フィルタ２１の左右端の支持枠２３には、後述するピニオンギア３２と噛み合うラック２４が形成されている。
【００３９】
フィルタ２１は、室内熱交換器１２の前面側に配置され、室内および室外から取り込まれた空気から塵埃を除去する。これにより、フィルタ２１は、空気中に浮遊する塵埃が室内熱交換器１２の表面を汚染することを防止している。フィルタ２１は、正規の状態では、室内熱交換器１２の前面側のほぼ全域を覆うように配置されている。
【００４０】
（ローラー３１）
ローラー３１は、両端にピニオンギア３２を有している。各ピニオンギア３２は、フィルタ２１のラック２４と噛み合っており、ピニオンギア３２が回転することによって、フィルタ２１は上下に移動する。
【００４１】
各ピニオンギア３２の中央には、外側へ突出する回転軸３３が設けられており、回転軸３３は、後述するガイド部材４１の軸受４３に支持される。回転軸３３と軸受４３との摩擦抵抗を低減するため、回転軸３３が軸受４３に挿入される前段階で、回転軸３３に補助軸３４が装着される。
【００４２】
補助軸３４が装着される回転軸３３と反対側にある回転軸３３には、伝達ギア３５の補助軸３６が装着される。伝達ギア３５は、駆動源からの回転をローラー３１に伝達するギアであり、補助軸３６が同軸で一体に成形されている。回転軸３３に補助軸３６を装着する際、作業者は、回転軸３３をガイド部材４１の軸受４３に挿入し、その後、回転軸３３を挿入した側と反対の方向から軸受４３内の回転軸３３を見ながら補助軸３６を回転軸３３に嵌合させる。
【００４３】
本実施形態では、補助軸３４と伝達ギア３５とは、自己潤滑性があり摩擦係数が低いポリアセタール樹脂によって成形されている。なお、材質はポリアセタール樹脂に限定されるものではなく、ポリアミド樹脂、ポリブチレンテレフタレート樹脂など自己潤滑性があり摩擦係数が低い樹脂から選定される。
【００４４】
（ガイド部材４１）
図２、図３において、ガイド部材４１は、フィルタ２１が移動するための軌道となる案内溝４２と、ピニオンギア３２の回転軸３３を支持する軸受４３とを有している。
【００４５】
案内溝４２は、前方案内溝４２ａと下方案内溝４２ｂと後方案内溝４２ｃと上方案内溝４２ｄとから成る。前方案内溝４２ａ及び後方案内溝４２ｃの長さは、フィルタ２１の長手方向の約４分の３の長さに相当し、上方案内溝４２ｄの長さは、フィルタ２１の長手方向の約４分の１の長さに相当する。下方案内溝４２ｂは、前述したピニオンギア３２の歯先円と同軸の円弧軌道を形成しており、前方案内溝４２ａの下端と後方案内溝４２ｃの下端とを結んでいる。前方案内溝４２ａの上端と後方案内溝４２ｃの上端は、共に上方案内溝４２ｄの入口と繋がっている。
【００４６】
（位置検知手段５０）
フィルタ２１は、前述した案内溝４２に沿って移動し所定の位置で停止する。フィルタ２１の停止位置は、位置検知手段５０によって検知される。図２において、位置検知手段５０は、上方案内溝４２ｄの終端近傍に配置されている。位置検知手段５０は、リミットスイッチ５１、レバー５２及び回動部材５３を含む。リミットスイッチ５１は、内部の接点をボタンの移動によって開閉するものである。レバー５２は、リミットスイッチ５１の外側に蝶番式で装着されており、外力が加わると回動してリミットスイッチ５１のボタンを押す。回動部材５３は、フィルタ２１のコーナーと接触することによって回動し、レバー５２を押す。
【００４７】
（ダストボックス６０）
ダストボックス６０は、フィルタ２１に付着した塵埃を除去して、その塵埃を一時的に溜める機能を有している。ダストボックス６０は、ケーシング１０の吹出し口１５の上部位置に取り付けられている。このダストボックス６０は、前面パネル１０ｂが閉じられた状態でも、前面パネル１０ｂとは干渉することなく着脱することができる。また、ダストボックス６０には、回転ブラシ６１が配設されており、この回転ブラシ６１がフィルタ２１に接触している。そして、回転ブラシ６１は、ブラシ駆動モータ（図示せず）によって回転駆動される。
【００４８】
＜フィルタ清掃動作＞
室内機２では、制御部により定期的に、或いは使用者が必要とするときにリモコンによってフィルタ２１が自動的に清掃される。以下、その仕組みについて説明する。
【００４９】
フィルタ２１のラック２４は、前方案内溝４２ａと上方案内溝４２ｄとに収まっており、ラック２４の一端（以後、第１端部２４ａとよぶ）はピニオンギア３２と噛み合っている。ローラー３１が回転すると、ピニオンギア３２からラック２４に回転が伝達され、フィルタ２１は、ローラー３１によって下方案内溝４２ｂで方向転換して後方案内溝４２ｃ側へ搬送される。ローラー３１が回転し続けると、ラック２４の第１端部２４ａは上方案内溝４２ｄに入り上方案内溝４２ｄの終端に到達する。
【００５０】
ラック２４の第１端部２４ａが上方案内溝４２ｄの終端に到達すると、第１端部２４ａが位置検知手段５０の回動部材５３を押して回動させる。回動部材５３の回動は、レバー５２に伝達され、レバー５２によってリミットスイッチ５１のボタンが押されオン動作する。空気調和装置の制御部は、リミットスイッチ５１から出力されるオン信号からラック２４の第１端部２４ａが上方案内溝４２ｄの終端に到達したと判断し、ローラー３１の回転を停止させる。このとき、ラック２４は、後方案内溝４２ｃと上方案内溝４２ｄとに収まっており、ラック２４の他端（以後、第２端部２４ｂとよぶ）はピニオンギア３２と噛み合っている。
【００５１】
フィルタ２１が移動する際に、フィルタ２１の表面に付着していた塵埃は回転ブラシ６１によって掻き落される。回転ブラシ６１は、少なくともフィルタ２１が前方から後方へ移動している期間中は回転しており、その回転方向は、フィルタ２１の進行方向に逆らう方向である。
【００５２】
フィルタ２１が前方から後方へ移動し塵埃の除去が終了すると、制御部は、ローラー３１を逆回転させる。フィルタ２１のラック２４の第２端部２４ｂは、ピニオンギア３２と噛み合っているので、ピニオンギア３２からラック２４に回転が伝達され、フィルタ２１は、ローラー３１によって下方案内溝４２ｂで方向転換して前方案内溝４２ａ側へ搬送される。ローラー３１が逆回転し続けると、ラック２４の第２端部２４ｂは上方案内溝４２ｄに入り上方案内溝４２ｄの終端に到達する。
【００５３】
ラック２４の第２端部２４ｂが上方案内溝４２ｄの終端に到達すると、第２端部２４ｂが位置検知手段５０の回動部材５３を押して回動させる。回動部材５３の回動は、レバー５２に伝達され、レバー５２によってリミットスイッチ５１のボタンが押されオン動作する。空気調和装置の制御部は、リミットスイッチ５１から出力されるオン信号からラック２４の第２端部２４ｂが上方案内溝４２ｄの終端に到達したと判断し、ローラー３１の回転を停止させる。
【００５４】
＜フィルタが複数ある場合の位置検知手段の配置＞
上記実施形態では、フィルタの数量について特に限定せずに説明したが、単一でも複数でもよい。ここでは、２つのフィルタの位置検知手段について、図面を用いて説明する。
【００５５】
図４は、位置検知手段及びその周辺部を示す平面図である。便宜上、図４において、２つのフィルタ２１のうち、平面視左側を第１フィルタ１２１、平面視右側を第２フィルタ２２１とし、２つの位置検知手段５０のうち、平面視左側を第１位置検知手段１５０、平面視右側を第２位置検知手段２５０とする。
【００５６】
図４において、第１フィルタ１２１と第２フィルタ２２１との間に、第１位置検知手段１５０と第２位置検知手段２５０が配置されている。第１位置検知手段１５０は、第１リミットスイッチ１５１と、第１レバー１５２と、第１回動部材１５３とを含む。第２位置検知手段２５０は、第２リミットスイッチ２５１と、第２レバー２５２と、第２回動部材２５３とを含む。第１回動部材１５３と第２回動部材２５３とは、回動軸５４に回動自在に支持されている。
【００５７】
第１リミットスイッチ１５１及び第２リミットスイッチ２５１には、ハーネス５０ａが接続されている。ハーネス５０ａは、第１フィルタ１２１、第１リミットスイッチ１５１、第２フィルタ２２１及び第２リミットスイッチ２５１の動作を妨げないように所定の距離を保ちながら、図４の平面視右上のハーネスガイド１１１へ導かれている。そして、ハーネス５０ａは、ハーネスガイド１１１内を通って電装品ボックス（図示せず）に接続されている。このように、ハーネス５０ａは、ハーネスガイド１１１に収納されるので組立時に周辺部品と干渉せず、作業者の組立作業性が向上する。また、ハーネス５０ａは、外部からは見えないので室内機２の外観を損なうことがない。
【００５８】
図５は、回動軸、第１回動部材および第２回動部材の斜視図である。図５において、第１回動部材１５３は、回動軸５４に挿入される軸穴１５３ａと、第１フィルタ１２１と接触する受動部１５３ｂと、受動部１５３ｂの変位を第１レバー１５２に伝達する動作部１５３ｃと、第１レバー１５２の端面と接触する係止部１５３ｄとを有する。第１回動部材１５３は、軸穴１５３ａを介して回動軸５４に挿入される。
【００５９】
第２回動部材２５３は、回動軸５４に挿入される軸穴２５３ａと、第２フィルタ２２１と接触する受動部２５３ｂと、受動部２５３ｂの変位を第２レバー２５２に伝達する動作部２５３ｃとを有する。第２回動部材２５３は、軸穴２５３ａを介して回動軸５４に挿入される。
【００６０】
図６は、回動軸に支持された第１回動部材および第２回動部材の斜視図である。図６において、第１回動部材１５３と第２回動部材２５３とは、上下に重なり合っている。この状態で、第１回動部材１５３の係止部１５３ｄが、第１リミットスイッチ１５１の第１レバー１５２の端面に接触しているので（図４参照）、第１回動部材１５３は、回動軸５４から移動して脱落することがない。この結果、第２回動部材２５３も回動軸５４から脱落しない。
【００６１】
本実施形態では、係止部１５３ｄは、第１レバー１５２の端面に接触しているが、これに限定されるものではなく、第１リミットスイッチ１５１の本体側面に接触してもよい。但し、この場合、係止部１５３ｄは、第１回動部材１５３の回動に伴って移動するので、係止部１５３ｄは第１回動部材１５３の全回動範囲で相手側と接触していなければならず、係止部１５３ｄが大型化する。しかし、本実施形態のように、係止部１５３ｄが第１レバー１５２の端面に接触することで、係止部１５３ｄと第１レバー１５２とは同時に且つ一緒に動くことができるので、係止部１５３ｄのサイズは第１回動部材１５３の動作範囲と関係なく小型化する。
【００６２】
＜特徴＞
（１）
室内機２では、第１回動部材１５３は、第１フィルタ１２１に押されて回動し第１リミットスイッチ１５１を動作させる。第２回動部材２５３は、第２フィルタ２２１に押されて回動し第２リミットスイッチ２５１を動作させる。そして、第１回動部材１５３及び第２回動部材２５３は、共通の回動軸５４を中心に回動する。第１回動部材１５３と第２回動部材２５３が同一の回動軸５４に集積されるので、占有空間が縮小され周辺部材の小型化が図られる。このため、材料使用量が減少し材料費が低減する。
【００６３】
（２）
室内機２では、回動軸５４は、第１フィルタ１２１と第２フィルタ２２１との間に配置されている。第１回動部材１５３、第２回動部材２５３は、回動軸５４に上下に重ねて挿入されている。このため、水平方向寸法の大型化、各回動部材による占有体積の大型化が抑制される。また、第１回動部材１５３及び第２回動部材２５３を一括して同時に回動軸５４に挿入することが可能となり、作業性が向上し製造コストが低減する。
【００６４】
（３）
室内機２では、回動軸５４の最上段にある第１回動部材１５３には、係止部１５３ｄが形成されている。係止部１５３ｄは、第１リミットスイッチ１５１の第１レバー１５２に接触して係止しており、第１回動部材１５３の回動軸５４方向の移動を防止している。このため、搬送及び組立の際に、第１回動部材１５３が回動軸５４から脱落しないので、下段の第２回動部材２５３も回動軸５４から脱落せず、作業上の取扱いが容易になり作業性が向上する。
【００６５】
また、係止部１５３ｄと第１レバー１５２とは同時に且つ一緒に動くことができるので、係止部１５３ｄのサイズは第１回動部材１５３の動作範囲と関係なく、第１レバー１５２に合わせて小型化することができる。
【産業上の利用可能性】
【００６６】
以上のように、本発明によれば、フィルタの位置検知手段の占有空間の大型化を抑制することができるので、複数のフィルタを移動させてフィルタの清掃を行う空気調和装置の室内機に有用である。
【図面の簡単な説明】
【００６７】
【図１】空気調和装置の外観図。
【図２】本発明の一実施形態に係る空気調和装置の室内機の断面図。
【図３】フィルタ及びその周辺部品の分解斜視図。
【図４】位置検知手段及びその周辺部を示す平面図。
【図５】回動軸、第１回動部材および第２回動部材の斜視図。
【図６】回動軸に支持された第１回動部材および第２回動部材の斜視図。
【符号の説明】
【００６８】
１  空気調和装置
２  室内機
１２  室内熱交換器
５４  回動軸
１２１  第１フィルタ
１５０  第１位置検知手段
１５１  第１リミットスイッチ
１５２  第１レバー
１５３  第１回動部材
１５３ａ  軸穴
１５３ｂ  受動部
１５３ｃ  動作部
１５３ｄ  係止部
２２１  第２フィルタ
２５０  第２位置検知手段
２５１  第２リミットスイッチ
２５２  第２レバー
２５３  第２回動部材
２５３ａ  軸穴
２５３ｂ  受動部
２５３ｃ  動作部
【図１】
2008145081.tif 000003
【図２】
2008145081.tif 000004
【図３】
2008145081.tif 000005
【図４】
2008145081.tif 000006
【図５】
2008145081.tif 000007
【図６】
2008145081.tif 000008